(57)【要約】      （修正有）【課題】コップやボトルの底面の汚れを確実に洗浄する洗浄具を提供する。【解決手段】洗浄具１は、棒状の柄１０と、柄１０の先端に設けられた芯材２０と、芯材２０に固定され、芯材の周面を覆う洗浄体３０とを備え、芯材２０の先端は、柄１０の軸方向に直交する、面状に形成された押当部２１を含む。肩部２２は、四角形状の押当部２１の対向する二辺から、それぞれ柄１０の基端側に向かって延設されている。肩部２２は、それぞれが近接するように傾斜し、肩部２２の先端が結合するように形成されている。また、肩部２２と押当部２１との境目には、略く字状のエッジ部２４が形成されている。【選択図】図２
2019088541.tif 000002
【特許請求の範囲】
【請求項１】
棒状の柄と、
前記柄の先端に設けられた芯材と、
前記芯材の周面を覆う洗浄体と、を備え、
前記芯材の先端は、前記柄の軸方向に直交する、面状に形成された押当部を含むことを特徴とする洗浄具。
【請求項２】
前記芯材は、前記柄の軸方向に直交する軸回りに首振り動作することができる請求項１に記載の洗浄具。
【請求項３】
前記押当部は、四角形状である請求項１または２に記載の洗浄具。
【請求項４】
前記押当部は、その四角形状の対向する二辺から延設された肩部により支持される請求項３に記載の洗浄具。
【請求項５】
前記肩部は、可撓性を有する請求項４に記載の洗浄具。
【発明の詳細な説明】
【技術分野】
【０００１】
本発明は、例えばコップやボトルの内面等を洗浄する洗浄具に関する。
【背景技術】
【０００２】
従来、先端が二股状に形成された棒状の柄と、この柄の二股の間に固定されたスポンジ素材からなる洗浄体とを備え、洗浄体部分で被清掃面を摺洗して使用する洗浄具が知られている（例えば、特許文献１参照）。
【先行技術文献】
【特許文献】
【０００３】
【特許文献１】特開２００５−３４９１０１号公報
【発明の概要】
【発明が解決しようとする課題】
【０００４】
しかしながら、このような洗浄具は、洗浄体を被清掃面に押しつけて摺洗すると、二股状の先端部分を芯材として機能させることできるが、点接触でしかスポンジをコップやボトル等の内部の底面に押しつけることができず、底面の汚れを十分に洗浄することができなかった。
【０００５】
そこで、本発明は、上記事情に鑑みてなされたもの、その目的は、コップやボトル等の内部の底面の汚れを確実に洗浄する洗浄具を提供することにある。
【課題を解決するための手段】
【０００６】
本発明は、上記目的を達成するため、以下の構成を有する。
【０００７】
［１］棒状の柄と、
前記柄の先端に設けられた芯材と、
前記芯材の周面を覆う洗浄体と、を備え、
前記芯材の先端は、前記柄の軸方向に直交する、面状に形成された押当部を含むことを特徴とする洗浄具。
【０００８】
［２］前記芯材は、前記柄の軸方向に直交する軸回りに首振り動作することができる前項１に記載の洗浄具。
【０００９】
［３］前記押当部は、四角形状である前項１または２に記載の洗浄具。
【００１０】
［４］前記押当部は、その四角形状の対向する二辺から延設された肩部により支持される前項３に記載の洗浄具。
【００１１】
［５］前記肩部は、可撓性を有する前項４に記載の洗浄具。
【発明の効果】
【００１２】
本発明は、上記構成により、以下の発明の効果を奏する。
【００１３】
前項［１］の発明によると、芯材の先端が柄の軸方向に直交する、面状に形成されているため、芯材によって洗浄体が、ボトルやコップ等の内部の底面と面接触することにより、洗浄残しが生じにくく、全面的に洗浄することができる。
【００１４】
前項［２］の発明によると、芯部が柄の軸方向に直交する軸回りに首振り動作することができるため、洗浄具をボトルやコップ等の内部の底面を擦るように動かしたときも、芯材によって洗浄体が底面と面接触したまま、柄を首振り方向に動かすことができ、より十分に摺洗できる。
【００１５】
前項［３］の発明によると、芯材を四角形状にしたため、四角形状の四隅を、ボトルやコップ等の内部の底面の角部に押し当てて使用できることにより、底面の角部を摺洗できる。
【００１６】
また、四角形状とすることで、芯材の四隅が洗浄体に食い込んで、芯材と洗浄体との位置がずれるのを防止できる。
【００１７】
前項［４］の発明によると、前記押当部は、その四角形状の対向する二辺から延設された肩部により支持されるため、押当部が二辺で支持されているから、四角形状の四隅が強固になり、より十分に摺洗できる。
【００１８】
前項［５］の発明によると、肩部は可撓性を有するため、押当部を底面に擦りつけるように力を加えることで、肩部を内側に撓ませて、両肩部と押当部との境目の角部が、力を加えていない状態よりも鋭角にでき、この鋭角になった部分を、底面の隅部等に付着した頑固な汚れに当てて摺洗できる。
【図面の簡単な説明】
【００１９】
【図１】本発明の一実施形態を示す洗浄具の外観斜視図である。
【図２】同洗浄具の構成を説明する外観斜視図である。
【図３】同洗浄具の構成を説明する分解斜視図である。
【図４】同洗浄具の使用状態を説明する説明図である。
【図５】同洗浄具の動作を説明する説明図であり、（ａ）は首振り動作を説明するものであり、（ｂ）は芯材の撓みを説明するものである。
【図６】同洗浄具の動作を説明する説明図であり、（ａ）は通常の形態であり、（ｂ）は基端側から先端側に向かって力を加えたときの形態である。
【発明を実施するための形態】
【００２０】
図１〜図３に示すように、洗浄具１は、棒状の柄１０と、柄１０の先端に設けられた芯材２０と、芯材２０の周面を覆う洗浄体３０とを備える。
【００２１】
柄１０は樹脂の成形品からなる。柄１０の先端側には二股状の二股部１１が形成され、柄１０の基端側には把持部１４が形成されている。
【００２２】
二股部１１はそれぞれ先端部を有する。二股部１１の対向する側の内面には、二股部１１の先端から基端に向かって配置された突起１３ａが複数形成されている。突起１３ａの先端には基端側に向かって尖らせた返しが形成されている。この二股部１１の対向する側内面には、一方にピン孔１２が形成され、他方に前記ピン孔１２に挿通して係合するピン１７が形成されている。
【００２３】
柄１０の基端側の把持部１４は、ヒンジ部１５により柄１０の中央側に向かって二つに折り畳むことができる。また、ヒンジ部１５の基端側には、把持部１４が意図しないときに折り畳まれるのを防止するロック部１６が設けられている。このロック部１６を解除することにより、把持部１４は折り畳まれる。
【００２４】
芯材２０は、押当部２１と、この押当部２１から延設された肩部２２と、この肩部２２から延設された連結部２３とを有する。
【００２５】
押当部２１は、面状（板状）に形成されている、より具体的には四角形状に形成されている。この押当部２１の外面には複数の突起２１ａが形成されている。
【００２６】
肩部２２は、四角形状の押当部２１の対向する二辺から、それぞれ柄１０の基端側に向かって延設されている。肩部２２は、それぞれが近接するように傾斜し、肩部２２の先端が結合するように形成されている。また、肩部２２と押当部２１との境目には、略く字状のエッジ部２４が形成されている。連結部２３は、肩部２２の先端から柄１０の基端側に向かって直線的に延設されている。この連結部２３には、ピン１７を挿通するため孔部２３ａが形成されている。
【００２７】
芯材２０がこのように形成されていることで、芯材２０は側面視略三角形状に形成されている。また、芯材２０の側面視略三角形状とされた内部は中空である。芯材２０は樹脂等の成形品である。芯材２０の押当部２１や肩部２２は、可撓性を有する厚さに形成されている。このように、芯材２０の押当部２１や肩部２２が可撓性を有することで、図６に示すように、芯材２０の基端側から先端側に向かって力を加えると、肩部２２が内側に撓み、両肩部２２と押当部２１との境目のエッジ部２４が、力を加えていない状態の形態よりも鋭角な形態に変形する。
【００２８】
洗浄体３０は、全体が帯状に形成されている。洗浄体３０の両先端近傍の側面には孔部３０ａが形成されている。洗浄体３０は、内部にスポンジが配され、このスポンジの外面に繊維パイル群を有する布帛片をもって構成されている。
【００２９】
この洗浄体３０は、洗浄体３０の中央部分に芯材２０の押当部２１が位置するように配置され、芯材２０の肩部２２に沿うように配置されている。
【００３０】
芯材２０が洗浄体３０に被覆された状態において、芯材２０と洗浄体３０は、柄１０の二股部１１の間に挟まれている。二股部１１のピン１７は、ピン１７側の洗浄体３０の孔部３０ａから順に芯材２０の孔部２３ａ、反対側の洗浄体３０の孔部３０ａを通り、二股部１１のピン孔１２で係合されている。
【００３１】
本実施形態にかかる洗浄具１の使用方法について説明すると、図４に示すように、使用者は、柄１０の部分を持って、洗浄具１の洗浄体３０の先端を、例えばコップやボトルの内部の底面に押しつけ、前後に摺動する。この際に芯材２０の面状の押当部２１を介して洗浄体３０が、ボトルやコップ等の内部の底面と面接触することで広範囲に力をつたえることができ、コップやボトルの内部の底面を効率良く摺洗できる。
【００３２】
また、図５の（ａ）に示すように、芯材２０が二股部１１にピン１７で連結されているため、芯材２０の押当部２１をコップやボトルの内部の底面に押し当てながら、ピン１７を軸にして、柄１０を、柄１０の軸方向に直交する軸回りに首振り動作させることができる。また、図５の（ｂ）に示すように、芯材２０の肩部２２が内側に撓ませることでも、洗浄具１の先端（洗浄体３０）を首振り動作させることができる。
【００３３】
上記実施形態にかかる洗浄具は、以下の効果を奏する。
【００３４】
（１）芯材２０は、側面視三角形状とし、芯材２０の押当部２１や肩部２２は、可撓性を有する厚さに形成されているため、コップやボトルなどの口縁が狭い場合であっても、芯材２０の押当部２１や肩部２２が撓むことにより、押当部２１（洗浄体３０）の幅が狭くなり、狭い口縁に挿入しやすくできる。
【００３５】
（２）芯材２０は側面視三角形状に形成され、芯材２０の押当部２１よりも、肩部２２の方が幅狭となっているため、コップやボトルなどの口縁が狭い場合であっても、押当部２１が狭い口縁を通過すれば、押当部２１よりも幅狭な肩部２２も容易に通過させることができる。
【００３６】
（３）図６に示すように、芯材２０の肩部２２が可撓性を有するため、芯材２０の基端側から先端側に向かって力を加えることで、肩部２２を内側に撓ませて、両肩部２２と押当部２１との境目のエッジ部２４を、力を加えていない状態よりも鋭角にできる。ひいては、この鋭角になった部分を、コップやボトルの内部底面の隅部等に付着した頑固な汚れに当接して摺洗できる。
【００３７】
（４）芯材２０は中空であるため、芯材２０と洗浄体３０との間に空気が通る空間ができることで、洗浄体３０の乾燥に役立ち、洗浄具１を衛生的に保管ができる。
【００３８】
（５）洗浄体３０は柄１０の二股部１１の間に挟まれ、二股部１１の突起１３ａの先端には基端側に向かって尖らせた返しが形成されているため、洗浄体３０が先端方向に摺動するのを防止することができる。
【００３９】
（６）押当部２１には複数の突起２１ａが形成されているため、この突起２１ａが洗浄体３０に食い込むことで、洗浄体３０の位置がずれるのを防止できる。
【００４０】
以上、本発明を一実施形態に基づいて説明してきたが、本発明は上記実施形態に限定されるものではなく、その発明の範囲で適宜変更しても良く、例えば以下のようにしても良い。
【００４１】
（１）上記実施形態では、芯材２０は、面状であって、四角形状の押当部２１が形成されているとしたが、例えば、芯材の押当部の形状を円形状や、三角形、五角形、六角形、八角形などの多角形などにしても良い。
【００４２】
（２）上記実施形態では、芯材２０の三角形状とされた内部は中空であるとしたが、例えば、芯材の内部は中実であっても良い。
【００４３】
（３）上記実施形態では、芯材２０は、樹脂等の成形品により成形されているとしたが、例えば、芯材２０は帯状の樹脂を折り曲げて、押当部２１、肩部２２、連結部２３を形成しても良い。
【００４４】
（４）上記実施形態では、洗浄体３０は、内部にスポンジが配され、スポンジの外面に繊維パイル群を有する布帛片をもって構成されているとしたが、例えば洗浄体は、不織布等でも良い。
【００４５】
（５）上記実施形態では、押当部２１に複数の突起２１ａが形成されているとしたが、突起２１ａは必須ではない。
【００４６】
（６）上記実施形態では、柄１０の基端側の把持部１４は、ヒンジ部１５により柄１０の中央側に向かって二つに折り畳むことができ、また、ヒンジ部１５の基端側にロック部１６が設け、このロック部１６を解除することにより、把持部１４は折り畳まれるように構成したが、例えば、折り畳み構造やロック部を有しない柄を採用しても良い。
【符号の説明】
【００４７】
１：洗浄具
１０：柄
１１：二股部
１２：ピン孔
１３ａ：突起
１４：把持部
１５：ヒンジ部
１６：ロック部
１７：ピン
２０：芯材
２１：押当部
２１ａ：突起
２２：肩部
２３：連結部
２３ａ：孔部
２４：エッジ部
３０：洗浄体
【図１】
2019088541.tif 000003
【図２】
2019088541.tif 000004
【図３】
2019088541.tif 000005
【図４】
2019088541.tif 000006
【図５】
2019088541.tif 000007
【図６】
2019088541.tif 000008